(57)【要約】【課題】本発明は、電子機器の機能を組み合わせた統合機能を容易に利用する。【解決手段】ネットワークシステム１は、１以上の複合装置Ｍ１、コピー装置Ｃ１、スキャナ装置Ｓ１、プリンタ装置Ｐ１、ファクス装置Ｆ１、コンピュータＰＣ１及び携帯端末ＫＴ等の電子機器が通信可能に接続されている。複合装置Ｍ１は、使用履歴記憶制御機能部６７が、電子機器の有する機能の機能使用履歴を機能使用履歴データベースＤＢ１として記憶機能部６１へ記憶し、いずれかの電子機器における機能に対する使用要求を要求受付機能部６２が受け付けると、機能抽出機能部６３が、該使用要求と使用履歴に基づいて、電子機器の複数の機能を組み合わせた統合機能を記憶する記憶機能部６１から適宜の統合機能を抽出して、提示機能部６４が、抽出された該統合機能を提示する。【選択図】          図１
2016111417.tif 000002
【特許請求の範囲】
【請求項１】
１以上の電子機器が通信可能に接続されているネットワークシステムであって、
使用履歴を記憶する履歴記憶手段と、
前記電子機器の有する機能の使用履歴を前記履歴記憶手段へ記憶させる履歴記憶制御手段と、
いずれかの前記電子機器における前記機能に対する使用要求を受け付ける要求受付手段と、
前記電子機器の複数の前記機能を組み合わせた統合機能を記憶する統合機能記憶手段と、
前記使用要求と前記履歴記憶手段の前記使用履歴に基づいて、前記統合機能記憶手段の前記統合機能から適宜の該統合機能を抽出する機能抽出手段と、
前記機能抽出手段の抽出した前記統合機能を提示する提示手段と、
を備えていることを特徴とするネットワークシステム。
【請求項２】
前記ネットワークシステムは、
前記提示手段の提示する前記統合機能から適宜の該統合機能を選択して実行を指示する指示手段と、
指定された前記統合機能を実行する機能実行手段と、
をさらに備えていることを特徴とする請求項１記載のネットワークシステム。
【請求項３】
前記要求受付手段は、
ユーザ認証を行った上で、前記使用要求を受け付け、
前記履歴記憶制御手段は、
前記電子機器の前記機能のユーザ毎の使用履歴を前記履歴記憶手段へ記憶させ、
前記機能抽出手段は、
前記使用要求、該使用要求のユーザの前記使用履歴に基づいて、前記統合機能を抽出することを特徴とする請求項１または請求項２記載のネットワークシステム。
【請求項４】
前記履歴記憶制御手段は、
前記ユーザによる所定時間内における前記統合機能を構成する複数の前記機能の使用履歴を、該機能の使用順序とともに前記履歴記憶手段へ記憶させ、
前記機能抽出手段は、
ユーザ認証を伴う前記使用要求、前記ユーザの前記使用履歴に基づいて、前記統合機能を抽出することを特徴とする請求項３記載のネットワークシステム。
【請求項５】
前記ネットワークシステムは、
前記統合機能を構成する複数の前記機能のうち、データの入力を伴う入力機能とデータの出力を伴う出力機能を対応させて入出力機能として記憶する入出力機能記憶手段を、
さらに備え、
前記機能抽出手段は、
前記使用要求と前記入出力機能に基づいて、前記統合機能を抽出することを特徴とする請求項１から請求項４のいずれかに記載のネットワークシステム。
【請求項６】
前記機能抽出手段は、
前記入力機能の使用要求を行ったユーザと、前記出力機能の使用要求を行ったユーザとが、異なる場合においても、該使用要求と前記入出力機能に基づいて、前記統合機能を抽出することを特徴とする請求項５記載のネットワークシステム。
【請求項７】
少なくとも、単独及び他の電子機器と連携して複数の機能を実行する電子機器であって、
使用履歴を記憶する履歴記憶手段と、
前記電子機器の有する機能の使用履歴を前記履歴記憶手段へ記憶させる履歴記憶制御手段と、
いずれかの前記電子機器における前記機能に対する使用要求を受け付ける要求受付手段と、
前記電子機器の複数の前記機能を組み合わせた統合機能を記憶する統合機能記憶手段と、
前記使用要求と前記履歴記憶手段の前記使用履歴に基づいて、前記統合機能を抽出する機能抽出手段と、
前記機能抽出手段の抽出した前記統合機能を提示する提示手段と、
を備えていることを特徴とする電子機器。
【請求項８】
少なくとも、単独及び他の電子機器と連携して複数の機能を実行する電子機器における電子機器管理方法であって、
前記電子機器の有する機能の使用履歴を履歴記憶手段へ記憶する履歴記憶制御処理ステップと、
いずれかの前記電子機器における前記機能に対する使用要求を受け付ける要求受付処理ステップと、
前記使用要求と前記履歴記憶手段の前記使用履歴に基づいて、前記電子機器の複数の前記機能を組み合わせた統合機能を記憶する統合機能記憶手段から適宜の該統合機能を抽出する機能抽出処理ステップと、
前記機能抽出処理ステップで抽出された前記統合機能を提示する提示処理ステップと、
を実行することを特徴とする電子機器管理方法。
【請求項９】
少なくとも、単独及び他の電子機器と連携して複数の機能を実行する電子機器の搭載する電子機器管理プログラムであって、
制御プロセッサに、
前記電子機器の有する機能の使用履歴を履歴記憶手段へ記憶する履歴記憶制御処理と、
いずれかの前記電子機器における前記機能に対する使用要求を受け付ける要求受付処理と、
前記使用要求と前記履歴記憶手段の前記使用履歴に基づいて、前記電子機器の複数の前記機能を組み合わせた統合機能を記憶する統合機能記憶手段から適宜の該統合機能を抽出する機能抽出処理と、
前記機能抽出処理で抽出された前記統合機能を提示する提示処理と、
を実行させることを特徴とする電子機器管理プログラム。
【発明の詳細な説明】
【技術分野】
【０００１】
本発明は、ネットワークシステム、電子機器、電子機器管理方法及び電子機器管理プログラムに関し、詳細には、電子機器の機能を組み合わせた統合機能を利用するネットワークシステム、電子機器、電子機器管理方法及び電子機器管理プログラムに関する。
【背景技術】
【０００２】
近年、複写装置、複合装置等の画像形成装置においては、その機能の向上にともなって、複数の機能を備えるとともに、これらの複数の機能及びコンピュータ等の他の電子機器の機能を組み合わせて実行する連結機能を備えている。
【０００３】
また、近年、画像形成装置は、ＬＡＮ（Local Area Network）等のネットワークに接続され、複数の画像形成装置同士、また、画像形成装置と情報処理装置が連携して、それぞれ異なる機能を組み合わせて実行することが行われるようになってきている。
【０００４】
例えば、コンピュータから文書データを、画像処理装置に送信し、画像処理装置が、該文書データを受信して、コンピュータから指定された宛先にファクス（ファクシミリ）送信することが行われている。
【０００５】
ところが、上述のような複数の機能を組み合わせて実行することをユーザが知らないときには、例えば、ユーザは、コンピュータからプリンタに文書データを送って、該文書を用紙に印刷出力させる。次に、ユーザは、画像形成装置のファクス機能を利用するために、送信先を指定して、該文書の印刷された用紙を画像形成装置のスキャナ部で読み取らせて、該スキャナ部の読み取った文書データを、該指定の宛先にファクス送信させる。
【０００６】
このように、ユーザが画像形成装置や情報処理装置等の電子機器の機能や組み合わせ機能を知らないときには、１回の操作で済む処理を、複数回の操作を行うこととなり、利用性が悪いという問題がある。
【０００７】
そして、従来、画像形成装置における複数の機能の中からユーザにより選択された機能の組合せ情報を処理する情報処理装置であって、ユーザにより選択された機能についての使用履歴情報を取得するための取得手段と、前記使用履歴情報をユーザ識別情報とともに記憶するための使用履歴記憶手段と、記憶された使用履歴情報に基づいて、使用された機能の頻度についてのユーザ毎の履歴情報を集計するための第１の集計手段と、記憶された使用履歴情報に基づいて、一の機能と他の機能とが組合せられる頻度についての組合せ情報を集計するための第２の集計手段と、前記集計されたユーザ毎の履歴情報及び組合せ情報を前記画像形成装置へ付与するための付与手段とを含む、情報処理装置が提案されている（特許文献１参照）。
【０００８】
すなわち、この従来技術は、ユーザ毎の単独機能だけでなく、該ユーザの使用した組み合わせ機能についても、使用履歴の多い機能を提示する。
【発明の概要】
【発明が解決しようとする課題】
【０００９】
しかしながら、上記公報記載の従来技術にあっては、単に、ユーザの使用履歴の多い機能を提示するのみであるため、複数の機能を組み合わせた統合機能を有効活用して、利用性を向上させる上で、改良の必要があった。
【００１０】
そこで、本発明は、複数の機能の組み合わせを容易に利用できるようにすることを目的としている。
【課題を解決するための手段】
【００１１】
上記目的を達成するために、請求項１記載のネットワークシステムは、１以上の電子機器が通信可能に接続されているネットワークシステムであって、使用履歴を記憶する履歴記憶手段と、前記電子機器の有する機能の使用履歴を前記履歴記憶手段へ記憶させる履歴記憶制御手段と、いずれかの前記電子機器における前記機能に対する使用要求を受け付ける要求受付手段と、前記電子機器の複数の前記機能を組み合わせた統合機能を記憶する統合機能記憶手段と、前記使用要求と前記履歴記憶手段の前記使用履歴に基づいて、前記統合機能を抽出する機能抽出手段と、前記機能抽出手段の抽出した前記統合機能を提示する提示手段と、を備えていることを特徴としている。
【発明の効果】
【００１２】
本発明によれば、電子機器の複数の機能の組み合わせを容易に利用できるようにすることができる。
【図面の簡単な説明】
【００１３】
【図１】本発明の一実施例を適用したネットワークシステムの構成図。
【図２】子機画像処理装置のブロック図。
【図３】コンピュータ及び携帯端末のブロック図。
【図４】複合装置のブロック図。
【図５】機能使用履歴データベースの一例を示す図。
【図６】統合機能データベースの一例を示す図。
【図７】機能保有機能データベースの一例を示す図。
【図８】複合装置の機能ブロック図。
【図９】電子機器管理処理を示すフローチャート。
【図１０】提示画面の一例を示す図。
【図１１】統合機能へ誘導する提示画面の一例を示す図。
【図１２】画像の一致性を考慮した電子機器管理処理を示すフローチャート。
【図１３】ユーザ毎統合関連機能使用回数データベースの一例を示す図。
【図１４】ユーザ間統合関連機能使用回数データベースの一例を示す図。
【図１５】ユーザ間の機能使用を考慮した電子機器管理処理を示すフローチャート。
【図１６】削減効果を提示する提示画面の一例を示す図。
【図１７】入出力機能データベースの一例を示す図。
【図１８】入出力関連データベースの一例を示す図。
【図１９】機能追加前の統合機能データベースの一例を示す図。
【図２０】同時コピー機能追加後の統合機能データベースの一例を示す図。
【図２１】機能追加前の入出力データベースの一例を示す図。
【図２２】同時コピー機能追加後の入出力データベースの一例を示す図。
【図２３】入出力機能に基づく電子機器管理処理を示すフローチャート。
【図２４】図２３の続きの処理を示すフローチャート。
【図２５】複数の統合機能を提示する提示画面の一例を示す図。
【図２６】機器間毎の統合機能使用回数データベースの一例を示す図。
【図２７】機器導入を提示する提示画面の一例を示す図。
【図２８】追加機能による新たな統合機能の追加を案内する提示画面の一例を示す図。
【発明を実施するための形態】
【００１４】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１５】
図１〜図２８は、本発明のネットワークシステム、電子機器、電子機器管理方法及び電子機器管理プログラムの一実施例を示す図であり、図１は、本発明のネットワークシステム、電子機器、電子機器管理方法及び電子機器管理プログラムの一実施例を適用したネットワークシステム１の構成図である。
【００１６】
図１において、ネットワークシステム１は、ＬＡＮ（Local Area Network）、ＷＡＮ（Wide Area Network ）、インターネット等のネットワークＮＷに、複数の電子機器が接続されている。ネットワークシステム１は、電子機器として、複合装置Ｍ１、コピー装置Ｃ１、スキャナ装置Ｓ１、プリンタ装置Ｐ１、ファクス装置Ｆ１、コンピュータＰＣ１及び携帯端末ＫＴ等が接続されているが、これらに限るものではない。また、ネットワークシステム１は、複合装置Ｍ１、コピー装置Ｃ１、スキャナ装置Ｓ１、プリンタ装置Ｐ１、ファクス装置Ｆ１、コンピュータＰＣ１等の電子機器が、スマートフォン、タブレット等の携帯端末ＫＴと無線通信等を行って、データやコマンドの授受を行う。ネットワークシステム１は、携帯端末ＫＴを利用した複合装置Ｍ１等の電子機器の操作やデータの授受を行うことが可能となっている。
【００１７】
ネットワークシステム１は、少なくとも、コンピュータＰＣ１、携帯端末ＫＴ及び複合装置Ｍ１以外の電子機器であるコピー装置Ｃ１、スキャナ装置Ｓ１、プリンタ装置Ｐ１、ファクス装置Ｆ１が、子機画像処理装置ＧＳとして、親機である複合装置Ｍ１と連携して、複数の機能を組み合わせて、少ない操作で実行するものとする。なお、他の電子機器と連携して複数の機能を組み合わせて実行するのは、複合装置Ｍ１に限るものではなく、コンピュータＰＣ１やその他の電子機器（複合装置Ｍ１、コピー装置Ｃ１、スキャナ装置Ｓ１、プリンタ装置Ｐ１、ファクス装置Ｆ１）であってもよいが、本実施例では、複合装置Ｍ１が複数の機能を組み合わせた実行処理を管理するものとする。また、連携して複数の機能を組み合わせて実行するのは、２台の電子機器の機能を組み合わせる場合に限るものではなく、１台、２台以上の電子機器の複数の機能を、組み合わせて実行してもよい。
【００１８】
以下の説明では、電子機器としての複合装置Ｍ１が親機として、他の電子機器であるコンピュータＰＣ１、携帯端末ＫＴ、コピー装置Ｃ１、スキャナ装置Ｓ１、プリンタ装置Ｐ１、ファクス装置Ｆ１を子機として、複数の機能を組み合わせて実行する場合について説明する。
【００１９】
複合装置Ｍ１以外の他の子機画像処理装置ＧＳのうち、コピー装置Ｃ１、スキャナ装置Ｓ１、プリンタ装置Ｐ１、ファクス装置Ｆ１等の画像処理装置は、大略、図２に示すようにブロック構成されている。なお、以下の説明では、複合装置Ｍ１以外の他のコピー装置Ｃ１、スキャナ装置Ｓ１、プリンタ装置Ｐ１、ファクス装置Ｆ１等を、適宜、子機画像処理装置ＧＳという。
【００２０】
図２において、子機画像処理装置ＧＳは、コントローラ１１、エンジン１２及びオペレーションパネル１３等を備えている。コントローラ１１は、ＣＰＵ（Central Processing Unit）２１、ＲＯＭ（Read Only Memory）２２、ＲＡＭ（Random Access Memory）２３、ネットワークＩ／Ｆ（インターフェイス）２４、エンジンＩ／Ｆ２５及びパネルＩ／Ｆ２６等を備えている。
【００２１】
エンジン１２は、子機画像処理装置ＧＳの種類に応じてそれぞれ異なり、例えば、子機画像処理装置ＧＳがコピー装置Ｃ１であると、スキャナエンジンとプリンタエンジン、子機画像処理装置ＧＳがスキャナ装置Ｓ１であると、スキャナエンジンである。すなわち、エンジン１２は、スキャナエンジンのときには、コントローラ１１の制御下で動作して、原稿を主走査及び副走査して、原稿の画像を読み取って、画像データをコントローラ１１へ出力する。エンジン１２は、プリンタエンジンのときには、コントローラ１１の制御下で動作して、コントローラ１１から渡される画像データに基づいて用紙に画像を形成する。
【００２２】
オペレーションパネル１３は、子機画像処理装置ＧＳに動作させるのに必要な各種操作キー及びディスプレイを備えている。オペレーションパネル１３は、操作キーから子機画像処理装置ＧＳに動作させるのに必要なキー操作が行われ、操作内容をコントローラ１１へ出力する。オペレーションパネル１３は、ディスプレイに、操作キーのキー操作内容やコントローラ１１から渡される各種情報を表示する。
【００２３】
ＲＯＭ２２は、子機画像処理装置ＧＳとしての基本プログラム、必要に応じて本発明の電子機器管理プログラム及びシステムデータ等を格納している。
【００２４】
ＣＰＵ２１は、ＲＯＭ２２に格納されているプログラムに基づいて、ＲＡＭ２３をワークメモリとして利用しつつ、子機画像処理装置ＧＳの各部を制御して、子機画像処理装置ＧＳとしての処理を行うとともに、後述する電子機器管理方法のうち子機画像処理装置ＧＳとして必要な処理を実行する。
【００２５】
ＲＡＭ２３は、ＣＰＵ２１のワークメモリとして利用されるとともに、子機画像処理装置ＧＳとして取り扱う各種データを一時記憶する。
【００２６】
ネットワークＩ／Ｆ２４は、有線または無線の上記ネットワークＮＷに接続され、ネットワークＮＷを介して子機画像処理装置ＧＳ、コンピュータＰＣ１及び複合装置Ｍ１と通信する。また、ネットワークＩ／Ｆ２４は、子機画像処理装置ＧＳが、ファクス装置Ｆ１であるときには、ファクス通信を行う。
【００２７】
エンジンＩ／Ｆ２５は、エンジン１２に接続されており、コントローラ１１からエンジン１２への制御信号や画像データ（描画データ）の出力及びエンジン１２からコントローラ１１へのステータス信号や読み取り結果である画像データの受け取り等を行う。
【００２８】
パネルＩ／Ｆ２６は、オペレーションパネル１３に、ＵＳＢ（Universal Serial Bus）またはシリアルケーブル等によって接続されており、ＣＰＵ２１とオペレーションパネル１３との間の信号や表示データ等の授受を行う。
【００２９】
コンピュータＰＣ１及び携帯端末ＫＴは、大略、図３に示すようにブロック構成されている。
【００３０】
コンピュータＰＣ１及び携帯端末ＫＴは、ＣＰＵ３１、ＲＯＭ３２、ＲＡＭ３３、ディスプレイ３４、ネットワークＩ／Ｆ３５及び入力Ｉ／Ｆ３６等を備えており、各部が、バス３７により接続されている。
【００３１】
ネットワークＩ／Ｆ３５は、ＣＰＵ３１の制御下で、ネットワークＮＷを介して複合装置Ｍ１や子機画像処理装置ＧＳと通信し、複合装置Ｍ１や子機画像処理装置ＧＳに画像出力条件等の各種機能実行情報を含む画像データや制御信号を送信する。また、ネットワークＩ／Ｆ３５は、複合装置Ｍ１や子機画像処理装置ＧＳから送信されてくる制御信号及びデータを受け取ってＣＰＵ３１に渡す。
【００３２】
ＲＯＭ３２は、ＯＳ及びコンピュータＰＣ１や携帯端末ＫＴとしての基本プログラム及び本発明の電子機器管理方法のうちコンピュータＰＣ１や携帯端末ＫＴで実行する必要のある処理を実行するための電子機器管理プログラムを格納している。また、ＲＯＭ３２は、上記各種プログラムを実行するのに必要な各種データを格納している。
【００３３】
ＣＰＵ３１は、ＲＯＭ３２内のプログラムに基づいて、ＲＡＭ３３をワークメモリとして利用しつつコンピュータＰＣ１や携帯端末ＫＴの各部を制御して、コンピュータＰＣ１や携帯端末ＫＴとしての基本処理及び本発明の電子機器管理処理を実行する。
【００３４】
ＲＡＭ３３は、ＣＰＵ３１のワークメモリとして利用されるとともに、ＣＰＵ３１が電子機器管理処理を行う上で、生成する各種データを記憶する。
【００３５】
ディスプレイ３４は、例えば、ＬＣＤ（Liquid Crystal Display）やＬＣＤにタッチパネルが積層されたディスプレイ等が用いられており、ＣＰＵ３１の制御下で、各種情報の表示、また、タッチパネル付きＬＣＤの時には、機能ボタンの表示等を行う。
【００３６】
入力Ｉ／Ｆ３６は、物理キーやディスプレイ３４の機能キー及びその他の入力デバイスからの入力信号を受け付けて、受け付けた入力信号をＣＰＵ３１に渡す。
【００３７】
複合装置Ｍ１は、図４に示すようにブロック構成されている。複合装置Ｍ１は、ＣＰＵ４１、操作パネル４２、ＲＯＭ４３、不揮発性ＲＡＭ４４、ＲＡＭ４５、エンジン制御部４６、ネットワーク制御部４７、ファクス制御部４８を備えているとともに、スキャナ部５１及びプロッタ部５２等を備えている。
【００３８】
ＲＯＭ４３は、複合装置Ｍ１としての基本プログラム、本発明の電子機器管理プログラム及びシステムデータ等を格納している。特に、ＲＯＭ４３は、本発明の電子機器管理方法の実行に必要な各種情報を記憶している。例えば、図５に示すような機能使用履歴データベース（使用履歴）ＤＢ１、図６に示すような統合機能データベース（統合機能）ＤＢ２、図７に示すような機器保有機能データベースＤＢ３等を格納している。
【００３９】
ＣＰＵ４１は、ＲＯＭ４３内のプログラムに基づいて、ＲＡＭ４５をワークメモリとして利用して、複合装置Ｍ１の各部を制御し、複合装置Ｍ１としての基本処理を実行するとともに、本発明の電子機器管理処理を実効する。
【００４０】
操作パネル４２は、各種操作キーとディスプレイ（例えば、タッチパネル付き液晶ディスプレイ）を備え、操作キーからは複合装置Ｍ１に各種機能を実行させる上で必要な各種操作が行われる。操作パネル４２は、特に、後述する電子機器管理処理で必要な各種操作、例えば、機能実行要求操作、統合機能の選択と実行指定操作等の入力操作が行われる。また、操作パネル４２のディスプレイは、ＣＰＵ４１の制御下で、複合装置Ｍ１からユーザに通知する各種情報、特に、電子機器管理処理での統合機能の提示等の各種情報を表示する。また、操作パネル４２は、複合装置Ｍ１を使用するユーザを識別するためのユーザ認証情報（例えば、ユーザＩＤ等）の入力が、操作キーまたは操作パネル４２に付属して設置されているＩＤカードリーダ等をユーザ認証情報入力部として、行われる。
【００４１】
不揮発性ＲＡＭ４４は、複合装置Ｍ１の電源がＯＦＦの場合にも記憶しておくべきデータ、特に、後述する本発明の電子機器管理方法で使用する各種データを、ＣＰＵ４１の制御下で記憶する。
【００４２】
ＲＡＭ４５は、ＣＰＵ４１のワークメモリとして利用されるとともに、各種処理を行う上で使用する各種データをＣＰＵ４１の制御下で一時記憶する。
【００４３】
エンジン制御部４６には、スキャナ部５１とプロッタ部５２が接続されており、ＣＰＵ４１の制御下で、スキャナ部５１及びプロッタ部５２の動作を制御する。
【００４４】
スキャナ部５１は、例えば、ＣＣＤ(Charge Coupled Device）を利用したラインイメージセンサ、アナログ／デジタル（Ａ／Ｄ）変換回路及びこれらを駆動する駆動回路等を備えており、一般的にＡＤＦを備えている。ＡＤＦには、複数枚の原稿がセットされ、ＡＤＦは、セットされた原稿を１枚ずつスキャナ部５１の原稿読み取り位置に送給する。スキャナ部５１は、ＡＤＦから搬送されてきた原稿を主走査及び副走査して原稿の濃淡情報から画像を所定の解像度で読み取って、例えば、ＲＧＢ各所定ビット（例えば、各８ビット）の画像データを作成してエンジン制御部４６に出力する。なお、スキャナ部５１は、ＣＣＤを用いたものに限るものではなく、例えば、ＣＩＳ（Contact Image Sensor：密着イメージセンサ）やＣＭＯＳ（Complementary Metal Oxide Semiconductor ）を用いたものであってもよい。
【００４５】
プロッタ部５２は、例えば、電子写真方式、インク噴射式等のプロッタが使用されている。プロッタ部５２は、電子写真方式の場合、図示しないが、電子写真方式で用紙に画像データ（描画データ）を記録出力するのに必要な部品、例えば、感光体、帯電部、光書込部、現像部、転写部及びクリーニング部等を備えている。プロッタ部５２は、エンジン制御部４６からの描画データ及び制御信号により光書込部を動作させて感光体上に静電潜像を形成して、現像部によりトナーを感光体上に供給して現像してトナー画像を形成する。プロッタ部５２は、給紙部から用紙を感光体と転写部との間に給紙して、感光体上のトナー画像を用紙に転写させ、トナー画像の転写された用紙を定着部に搬送して、定着部で加熱・加圧して用紙上のトナー画像を定着させることで、画像を形成する。
【００４６】
ネットワーク制御部４７は、ネットワークＮＷに接続されており、ＣＰＵ４１の制御下で、ネットワークＮＷ上のコンピュータＰＣ１や子機画像処理装置ＧＳと通信する。また、ネットワーク制御部４７は、Wi-FiやBluetooth（登録商標）等の無線通信方式で携帯端末ＫＴと通信して、データ及びコマンドの授受を行う。
【００４７】
ファクス制御部４８は、電話回線に接続されており、ＣＰＵ４１の制御下で、ファクスデータの指定宛先へのファクス送信処理、相手先からのファクスデータの受信処理を行う。
【００４８】
そして、ネットワークシステム１は、複合装置Ｍ１、他の画像処理装置ＧＳ及び携帯端末ＫＴに対して、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＵＳＢ（Universal Serial Bus）メモリ、ＳＤ（Secure Digital）カード、ＭＯ（Magneto-Optical Disc）等のコンピュータが読み取り可能な記録媒体に記録されている本発明の電子機器管理方法を実行する電子機器管理プログラムを読み込んでＲＯＭ４３等に導入することで、後述する複数の機能の組み合わせを容易に利用できるようにする電子機器管理方法を実行するネットワークシステム１及びネットワークシステム１を構成する電子機器としての複合装置Ｍ１、他の画像処理装置ＧＳ及び携帯端末ＫＴとして構築されている。この電子機器管理プログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００４９】
ネットワークシステム１は、上記電子機器管理プログラムのうち、それぞれの電子機器の動作に必要な部分の電子機器管理プログラムが、各電子機器に導入されることで、図８に示すような機能ブロックが構築される。なお、図８では、ネットワークシステム１を構成する電子機器を、親機としての複合装置Ｍ１、子機としての子機画像処理装置ＧＳ及び携帯端末ＫＴに分けてそれぞれの機能ブロックが示されている。
【００５０】
すなわち、複合装置Ｍ１は、電子機器管理プログラムが導入されることで、図８に示すように、記憶機能部６１、要求受付機能部６２、機能抽出機能部６３、提示機能部６４、指示機能部６５、機能実行機能部６６、使用履歴記憶制御機能部６７、機能実行確認機能部６８、実行回数記憶制御機能部６９等が構築される。
【００５１】
記憶機能部６１は、不揮発性ＲＡＭ４４で構築され、電子機器である複合装置Ｍ１、子機画像処理装置ＧＳ、コンピュータＰＣ１を使用するユーザ毎に、該電子機器の有する機能の使用履歴を記憶する。したがって、記憶機能部６１は、履歴記憶手段として機能している。
【００５２】
また、記憶機能部６１は、上記電子機器の複数の機能を組み合わせた統合機能を記憶しており、統合機能記憶手段として機能している。
【００５３】
要求受付機能部６２は、操作パネル４２、コンピュータＰＣ１、携帯端末ＫＴ等で構築されており、操作パネル４２は、操作キー、ＩＤカードリーダ等で構築されるユーザ認証機能部６２ａを備えている。なお、要求受付機能部６２は、コンピュータＰＣ１や携帯端末ＫＴであるときには、それぞれの入力デバイスが直接的な要求受付機能部となる。要求受付機能部６２は、ユーザ認証を行った上で、いずれかの電子機器（複合装置Ｍ１、子機画像処理装置ＧＳ、コンピュータＰＣ１）における機能に対する使用要求を受け付ける。したがって、要求受付機能部６２は、要求受付手段として機能している。
【００５４】
機能抽出機能部６３は、ＣＰＵ４１によって構築され、前記使用要求と前記不揮発性ＲＡＭ４４に記憶されている前記使用履歴に基づいて、記憶機能部６１の記憶する統合機能から、適宜の統合機能を抽出する。したがって、機能抽出機能部６３は、機能抽出手段として機能している。
【００５５】
提示機能部６４は、操作パネル４２のディスプレイ等で構築され、前記機能抽出機能部６３の抽出した前記統合機能を表示する等の方法で提示する。したがって、提示機能部６４は、提示手段として機能している。
【００５６】
指示機能部６５は、操作パネル４２の操作キーやディスプレイの機能ボタン等で構築され、提示機能部６４の提示する前記統合機能から適宜の該統合機能を選択して実行を指示する。したがって、指示機能部６５は、指示手段として機能している。
【００５７】
機能実行機能部６６は、スキャナ部５１、プロッタ部５２、子機画像処理装置ＧＳのエンジン１２等で構築され、指定された前記統合機能を実行する。したがって、機能実行機能部６６は、機能実行手段として機能している。
【００５８】
使用履歴記憶制御機能部６７は、ＣＰＵ４１によって構築され、ユーザによる所定時間内における複数の前記機能の連続する使用履歴を、該機能の使用順序とともに前記不揮発性ＲＡＭ４４で構築される記憶機能部６１に記憶させる。したがって、使用履歴記憶制御機能部６７は、履歴記憶制御手段として機能している。
【００５９】
機能実行確認機能部６８は、ＣＰＵ４１によって構築され、前記統合機能を構成する複数の前記機能の組み合わせである組み合わせ機能が、予め設定されている所定時間内に実行されたかを確認する。
【００６０】
実行回数記憶制御機能部６９は、前記機能実行確認機能部６８が確認した前記組み合わせ機能の実行回数をユーザに対応させて不揮発性ＲＡＭ４４に記憶させる。したがって、実行回数記憶制御機能部６９は、履歴記憶制御手段として機能している。
【００６１】
次に、本実施例の作用を説明する。本実施例のネットワークシステム１は、電子機器の複数の機能の組み合わせを容易に利用できるようにする。
【００６２】
ネットワークシステム１は、複合装置Ｍ１及びその他の子機画像処理装置ＧＳにおける機能の使用履歴を、複合装置Ｍ１が収集して記憶する。ネットワークシステム１は、複合装置Ｍ１または子機画像処理装置ＧＳあるいは携帯端末ＫＴから機能の使用要求があると、複合装置Ｍ１が、機能使用履歴と使用要求機能（使用要求されている機能）に基づいて、複数の機能を組み合わせた統合機能を抽出し、該統合機能を提示する。ネットワークシステム１は、複合装置Ｍ１が、この統合機能の提示を、該使用要求してきた電子機器等に対して行なう。
【００６３】
そこで、複合装置Ｍ１は、機能使用履歴と機能使用要求に基づいて提示する統合機能を抽出するために、少なくとも、上記図５に示したようなユーザ毎の機能使用履歴データベースＤＢ１を不揮発性ＲＡＭ４４で構築される記憶機能部６１に記憶する。また、複合装置Ｍ１は、図６に示したような統合機能データベースＤＢ２を、不揮発性ＲＡＭ４４で構築される記憶機能部６１に記憶する。
【００６４】
図５に示す機能使用履歴データベースＤＢ１は、ユーザ（ユーザＡ、ユーザＢ、・・・）毎に、機能を使用した日時、使用した機能、該機能を実行した電子機器及び該機能で処理した画像データの保管場所または削除の有無が記憶されている。すなわち、機能使用履歴データベースＤＢ１は、ネットワークシステム１内の、どの電子機器で、どの機能がどのユーザによって何時使用されたかを、ユーザ毎に記録している。
【００６５】
なお、複合装置Ｍ１は、ネットワークシステム１内のどの電子機器で使用された機能も同じ機能使用履歴データベースＤＢ１に記録する。したがって、複合装置Ｍ１は、図６に示した統合機能データベースＤＢ２の各機能の連続使用が別々の電子機器で行われていても連続して使用されたことを検知することができる。また、複合装置Ｍ１は、機能使用時の機能使用要求操作を行った複合装置Ｍ１、子機画像処理装置ＧＳ、携帯端末ＫＴにかかわらず、使用履歴を同じ機能使用履歴データベースＤＢ１に記録する。さらに、複合装置Ｍ１は、機能要求に応じて該機能（ジョブ）を実行した際に、読取、印刷等の処理を行った画像データを記録し、履歴情報と紐付けて、機能使用履歴データベースＤＢ１の画像ファイルパス欄に記憶する。複合装置Ｍ１は、この画像データを削除したときには、削除したことを、機能使用履歴データベースＤＢ１の画像ファイルパス欄に記憶する。
【００６６】
複合装置Ｍ１は、ネットワークシステム１のいずれかの電子機器（複合装置Ｍ１、子機画像処理装置ＧＳ等）が単独で、または、連携して備えている統合機能を、図６に示したような統合機能データベースＤＢ２として、記憶機能部６１に記憶している。
【００６７】
すなわち、統合機能データベースＤＢ２は、ネットワークシステム１で使用することのできる複数の機能を、別の単一の機能（統合機能）で代替できるかを示したデータベースである。例えば、図６の場合、統合機能Ｎｏ．１では、「プリンタ出力」→「ファクス送信」が、「順序性あり」で「ＰＣＦＡＸ」という統合機能で代替できることを示している。ここで、「順序性あり」とは、逆順の「ファクス送信」→「プリンタ出力」という機能順では代替することができないことを示している。また、図６の統合機能Ｎｏ．４では、「ファクス送信」、「メール送信」、「コピー」の３つの機能を、「順序性なし」で「ファクス・メール同報送信（同時コピー）」という統合機能で代替できることが示されている。この「ファクス・メール同報送信（同時コピー）」は、「順序性なし」であるので、「ファクス送信」、「メール送信」、「コピー」の実行順にかかわらず代替することができる。したがって、「コピー」を先に行う手順でも、「ファクス送信」を先に行う手順でも、「メール送信」を先に行う手順でも、いずれの場合においても代替することができる。
【００６８】
そして、記憶機能部６１は、図７に示したように、機器保有機能データベースＤＢ３を記憶しており、機器保有機能データベースＤＢ３は、どの単機能及び統合機能がどの電子機器が備えているかのデータベースである。
【００６９】
また、統合機能データベースＤＢ２及び機器保有機能データベースＤＢ３は、本実施例では、複合装置Ｍ１が記憶しているが、子機画像処理装置ＧＳも記憶し、電子機器間で参照できるようにしてもよい。このようにすると、機能使用履歴と合わせてどの電子機器で統合機能を提供できるかを速やかに判別することができる。
【００７０】
このようにすると、例えば、ファクス・メール同報送信機能を非搭載の電子機器で、ファクス送信とメール送信を個別に行っているユーザに対して、ファクス・メール同報送信を搭載している他の電子機器を提示して統合機能の利用を促すことができる。
【００７１】
また、統合機能データベースＤＢ２は、統合機能の実行に影響する箇所が故障した際、利用できなくなった統合機能を一時的に無効にしてもよい。
【００７２】
このようにすると、利用することのできない統合機能を提示して、ユーザに無駄な操作や待ち時間を費やさせることを防止することができる。
【００７３】
そして、複合装置Ｍ１は、図９に示すように、電子機器管理処理を行う。なお、以下の説明では、説明を明確化するために、単機能として、図６に示した統合機能データベースＤＢ２の機能１〜機能３の３つの機能を取り上げて説明する。
【００７４】
すなわち、複合装置Ｍ１は、要求受付機能部６２が機能の使用要求を受け付けると、機能抽出機能部６３が、図９に示すように、該使用要求の機能が記憶機能部６１の統合機能データベースＤＢ２に登録されている機能１〜機能３にあるかチェックする（ステップＳ１０１）。
【００７５】
ステップＳ１０１で、使用要求の機能が統合機能データベースＤＢ２の機能１〜機能３にないとき（ステップＳ１０１で、ＮＯのとき）、機能抽出機能部６３は、統合機能を抽出することができないと判断して、電子機器管理処理を終了する。
【００７６】
ステップＳ１０１で、使用要求の機能が統合機能データベースＤＢ２の機能１〜機能３にあると（ステップＳ１０１で、ＹＥＳのとき）、機能抽出機能部６３は、該当する統合機能Ｎｏ．を特定する（ステップＳ１０２）。
【００７７】
機能抽出機能部６３は、該当するＮｏ．の統合機能に順序性があるかチェックし（ステップＳ１０３）、順序性があると（ステップＳ１０３で、ＹＥＳのとき）、使用要求の機能が、該統合機能の最後の順序の機能であるかチェックする（ステップＳ１０４）。
【００７８】
ステップＳ１０４で、使用要求の機能が最後の順序でないと（ステップＳ１０４で、ＮＯのとき）、機能抽出機能部６３は、統合機能を抽出することができないと判断して、電子機器管理処理を終了する。
【００７９】
ステップＳ１０４で、使用要求の機能が最後の順序であると（ステップＳ１０４で、ＹＥＳのとき）、機能抽出機能部６３は、特定した統合機能の他の機能１、機能２が、一定時間内に順序通りに使用されたかチェックする（ステップＳ１０５）。
【００８０】
ステップＳ１０５で、統合機能の他の機能１、機能２が一定時間内に順序通りに使用されていないとき（ステップＳ１０５で、ＮＯのとき）、機能抽出機能部６３は、統合機能を抽出することができないと判断して、電子機器管理処理を終了する。
【００８１】
ステップＳ１０５で、統合機能の他の機能１、機能２が一定時間内に順序通りに使用されていると（ステップＳ１０５で、ＹＥＳのとき）、機能抽出機能部６３は、該当する統合機能Ｎｏ．に対する統合機能を抽出して、電子機器管理処理を終了する(ステップＳ１０６）。
【００８２】
ステップＳ１０３で、該当するＮｏ．の統合機能に順序性がないと（ステップＳ１０３、ＮＯのとき）、機能抽出機能部６３は、該当する統合機能の他の機能１〜３が一定時間以内に使用されたかチェックする（ステップＳ１０７）。
【００８３】
ステップＳ１０７で、一定時間内に他の機能１〜３が使用されないとき（ステップＳ１０７で、ＮＯのとき）、機能抽出機能部６３は、統合機能を抽出することができないと判断して、電子機器管理処理を終了する。
【００８４】
ステップＳ１０７で、一定時間以内に他の機能１〜３が使用されると（ステップＳ１０７で、ＹＥＳのとき）、機能抽出機能部６３は、該当する統合機能Ｎｏ．に対する統合機能を抽出して、電子機器管理処理を終了する(ステップＳ１０６）。
【００８５】
そして、機能抽出機能部６３は、抽出結果を提示機能部６４に出力し、提示機能部６４は、例えば、図１０に示すような提示画面Ｇ１を、指示機能部６５のディスプレイに表示して、統合機能の提示を行う。図１０では、統合機能としてのＰＣＦＡＸ機能を提示する提示画面Ｇ１の一例が示されている。
【００８６】
また、提示機能部６４は、統合機能の提示においては、例えば、図１１に示すように、統合機能へ操作を誘導するような提示画面Ｇ２を表示して提示してもよい。図１１では、統合機能としての「同時コピー」へ誘導する提示画面Ｇ２が示されており、「設定画面へ」の機能ボタンが、指示機能部６５で操作されると、下に示す「同時コピー」を行うか否かの選択画面を表示する。
【００８７】
なお、上記機器管理処理においては、統合機能を抽出する際に、図１２に示すように、処理対象の画像の一致性を考慮してもよい。なお、図１２の説明においては、図９の処理と同様の処理ステップには、同一のステップナンバを付与して、その説明を省略または簡略化する。
【００８８】
図１２において、機能抽出機能部６３は、ステップＳ１０１で、使用要求の機能が統合機能データベースＤＢ２にあると、該当する統合機能Ｎｏ．を特定し（ステップＳ１０２）、順序性を判定する（ステップＳ１０３）。
【００８９】
ステップＳ１０３で、順序性があると、機能抽出機能部６３は、使用要求の機能が最後の順序であるかチェックする（ステップＳ１０４）。機能抽出機能部６３は、ステップＳ１０４で、最後の順序の機能であると、統合機能の他の機能１、２が一定時間内に順序通りに使用されたかチェックする(ステップＳ１０５）。
【００９０】
ステップＳ１０５で、他の機能１、２が一定時間内に順序通りに使用されると、機能抽出機能部６３は、連続した機能で読取または印刷した画像が一致しているかチェックする（ステップＳ２０１）。
【００９１】
ステップＳ２０１で、連続した機能で読取または印刷した画像が一致していると（ステップＳ２０１で、ＹＥＳのとき）、機能抽出機能部６３は、該当する統合機能Ｎｏ．に対する統合機能を抽出して、電子機器管理処理を終了する(ステップＳ１０６）。
【００９２】
ステップＳ２０１で、連続した機能で読取または印刷した画像が不一致であると（ステップＳ２０１で、ＮＯのとき）、機能抽出機能部６３は、統合機能の抽出を行うことなく、電子機器管理処理を終了する。
【００９３】
また、ステップＳ１０３で、順序性がなく、ステップＳ１０７で、統合機能の他の機能１〜３が一定時間内に使用されると、機能抽出機能部６３は、連続した機能で読取または印刷した画像が一致しているかチェックする（ステップＳ２０１）。以下の処理は、上記同様である。
【００９４】
このようにすると、画像の一致性を利用して、統合機能の正当性を適切に判定することができる。
【００９５】
また、複合装置Ｍ１は、ネットワークシステム１を利用するユーザ毎に、利用状況を管理して、統合機能の提示を行うようにしてもよい。
【００９６】
この場合、複合装置Ｍ１は、上述のように、実行回数記憶制御機能部６９が、機能実行確認機能部６８によって確認された実行済みの履歴を、記憶機能部６１の図１３に示すようなユーザ毎統合関連機能使用回数データベースＤＢ４へ記憶する。また、複合装置Ｍ１は、実行回数記憶制御機能部６９が、図１４に示すようなユーザ間統合関連機能使用回数データベースＤＢ５に、実行済みの履歴を登録する。
【００９７】
ユーザ毎統合関連機能使用回数データベースＤＢ４は、図６の統合機能データベースＤＢ２の統合機能毎に、ユーザ（図１３では、ユーザＡ〜ユーザＥ）毎に、その統合機能に所属する機能（以下、適宜、統合関連機能という。）の使用回数が登録されている。すなわち、ユーザ毎統合関連機能使用回数データベースＤＢ４は、統合関連機能を、統合機能を使用することなく、各機能１〜機能３を別々に行った回数を、ユーザ毎に記録している。ユーザ毎統合関連機能使用回数データベースＤＢ４は、ユーザ毎に記録されている機能の使用回数が多いほど、「統合機能」で代替できる操作を、そのユーザが単機能の連続使用手順で行っていることが多いことを示している。したがって、複合装置Ｍ１が、そのユーザに統合機能を提示して利用させることで、ネットワークシステム１の利用効率を向上させることができる余地が大きいことになる。
【００９８】
ユーザ間統合関連機能使用回数データベースＤＢ５は、複数のユーザ間での統合関連機能の使用回数を記録している。例えば、図１４では、ユーザＢとユーザＣの間で、同一画像に対して、一定時間内に統合機能Ｎｏ．１（プリンタ出力とファクス送信）の統合関連機能が１０回使用されていることが記録されている。したがって、ユーザＢがプリント出力した画像をユーザＣに渡し、ユーザＣがファクス送信するよう依頼されている画像処理手順が想定される。その結果、複合装置Ｍ１は、ユーザＢとユーザＣの両方に対して、統合機能（統合機能Ｎｏ．１の場合は、ＰＣＦＡＸ）を提示して利用させることで、ネットワークシステム１の利用効率を向上させることができる。
【００９９】
そして、本実施例のネットワークシステム１は、複合装置Ｍ１が、図１５に示すユーザ間の機能使用を考慮した電子機器管理処理を実行する。なお、図１５の説明においては、図９の処理と同様の処理ステップには、同一のステップナンバを付与して、その説明を省略または簡略化する。
【０１００】
図１５において、機能抽出機能部６３は、ステップＳ１０１で、使用要求の機能が統合機能データベースＤＢ２にあると、該当する統合機能Ｎｏ．を特定し（ステップＳ１０２）、順序性を判定する（ステップＳ１０３）。
【０１０１】
ステップＳ１０３で、順序性があると、機能抽出機能部６３は、使用要求の機能が最後の順序であるかチェックする（ステップＳ１０４）。
【０１０２】
機能抽出機能部６３は、ステップＳ１０４で、最後の順序の機能であると、統合機能の他の機能１、２が一定時間内に順序通りに他のユーザによって使用されたかチェックする(ステップＳ３０１）。
【０１０３】
ステップＳ３０１で、他の機能１、２が一定時間内に順序通りに他のユーザによって使用されると（ステップＳ３０１で、ＹＥＳのとき）、機能抽出機能部６３は、連続した機能で読取または印刷した画像が一致しているかチェックする（ステップＳ２０１）。
【０１０４】
ステップＳ２０１で、連続した機能で読取または印刷した画像が一致していると（ステップＳ２０１で、ＹＥＳのとき）、機能抽出機能部６３は、該当する統合機能Ｎｏ．に対する統合機能を抽出して、電子機器管理処理を終了する(ステップＳ１０６）。
【０１０５】
ステップＳ２０１で、連続した機能で読取または印刷した画像が不一致であると（ステップＳ２０１で、ＮＯのとき）、機能抽出機能部６３は、統合機能の抽出を行うことなく、電子機器管理処理を終了する。
【０１０６】
ステップＳ３０１で、他の機能１、２が一定時間内に順序通りに他のユーザによって使用されていないと（ステップＳ３０１で、ＮＯのとき）、機能抽出機能部６３は、統合機能の抽出を行うことなく、電子機器管理処理を終了する。
【０１０７】
また、ステップＳ１０３で、順序性がないと、統合機能の他の機能１〜３が一定時間内に他のユーザによって使用されたかチェックする（ステップＳ３０２）。
【０１０８】
ステップＳ３０２で、統合機能の他の機能１〜３が一定時間内に他のユーザによって使用されると（ステップＳ３０２で、ＹＥＳのとき）、機能抽出機能部６３は、ステップＳ２０１に移行する。機能抽出機能部６３は、連続した機能で読取または印刷した画像が一致しているか否かのチェックから上記同様に処理する（ステップＳ２０１、Ｓ１０６）。
【０１０９】
ステップＳ３０２で、統合機能の他の機能１〜３が一定時間内に他のユーザによって使用されないと（ステップＳ３０２で、ＮＯのとき）、機能抽出機能部６３は、統合機能の抽出を行うことなく、電子機器管理処理を終了する。
【０１１０】
複合装置Ｍ１は、統合機能による削減効果を表示するようにしてもよい。この場合、例えば、複合装置Ｍ１は、図５に示した機能使用履歴データベースＤＢ１を参照して、図１６に示すようなユーザ毎に削減効果を示す提示画面Ｇ３を表示してもよい。
【０１１１】
このようにすると、例えば、ユーザＢがプリント出力した画像をユーザＣに渡し、ファクス送信を依頼している場合、ユーザＢとユーザＣ両方に対して統合機能（統合機能Ｎｏ．１の場合、ＰＣＦＡＸ）を提示して、利用性を向上させることができる。
【０１１２】
さらに、複合装置Ｍ１は、図１７に示すような入出力機能データベースＤＢ６及び図１８に示す入出力関連データベースＤＢ７を、記憶機能部６１に記憶して統合機能の管理抽出を行ってもよい。この場合、記憶機能部６１は、統合機能を構成する複数の前記機能のうち、データの入力を伴う入力機能とデータの出力を伴う出力機能を対応させて入出力機能として記憶する入出力機能記憶手段として機能している。
【０１１３】
図１７に示す入出力機能データベース（入出力機能）ＤＢ６は、統合機能毎に、入力機能と出力機能を登録したデータベースである。このように、統合機能を、入力機能と出力機能で管理すると、統合機能の追加を容易にかつ簡単に行うことができる。
【０１１４】
例えば、図１９に示す機能追加前の統合機能データベースＤＢ２ａに対して、同時コピーの統合機能を追加する場合について、説明する。図１９の統合機能データベースＤＢａ２は、統合機能Ｎｏ．１として、機能１に、「ファクス送信」、機能２に、「メール送信」が登録され、統合機能として、「ファクス・メール同報送信（同時コピー）」、順序性として、「なし」が登録されている。この統合機能データベースＤＢ２ａに対して同時コピーの統合機能を追加する場合、統合機能同士の関連が複雑である。したがって、追加統合機能と既存の統合機能との機能の関連を全て洗い出して、図２０に示す統合機能データベースＤＢ２ｂのように、追加統合機能を登録する必要がある。
【０１１５】
ところが、統合機能を、図１７に示した入出力機能データベースＤＢ６で管理すると、図２１及び図２２に示すように、統合機能の追加を容易かつ簡単に行うことができる。例えば、図２１に示す機能を追加する前の入出力機能データベースＤＢ６ａでは、統合機能として、「コピー」、「ファクス送信」、「スキャンｔｏメール」、「ファクス・メール同報送信」が登録されている。この入出力機能データベースＤＢ６ａに対して、図１９、図２０の場合と同様に、「同時コピー」機能を追加する場合について説明する。この場合、入出力機能データベースＤＢ６ａでは、各統合機能を入力と出力の基本機能に分離し、図２２に同時コピー機能追加後の入出力機能データベースＤＢ６ｂとして示すように、入出力の関連によって統合機能を抽出することができる。したがって、煩雑な関連の洗い出しとデータベースへの追加を簡単かつ容易に自動化して行うことができる。
【０１１６】
そして、このような入出力機能データベースＤＢ６と入出力関連データベースＤＢ７を用いて電子機器管理処理を行う場合には、複合装置Ｍ１は、図２３及び図２４に示すように、電子機器管理処理を実効する。
【０１１７】
すなわち、機能抽出機能部６３は、機能使用要求があると、該使用要求の機能が入出力機能データベースＤＢ６にあるかチェックする（ステップＳ４０１）。
【０１１８】
ステップＳ４０１で、使用要求の機能が入出力機能データベースＤＢ６にないと（ステップＳ４０１で、ＮＯのとき）、機能抽出機能部６３は、統合機能を抽出することができないと判断して、電子機器管理処理を終了する。
【０１１９】
ステップＳ４０１で、使用要求の機能が入出力機能データベースＤＢ６にあると（ステップＳ４０１で、ＹＥＳのとき）、機能抽出機能部６３は、該使用要求の機能が、入出力関連データベースＤＢ７にあるかチェックする（ステップＳ４０２）。
【０１２０】
ステップＳ４０２で、使用要求の機能が入出力関連データベースＤＢ７にないと（ステップＳ４０２で、ＮＯのとき）、機能抽出機能部６３は、統合機能を抽出することができないと判断して、電子機器管理処理を終了する。
【０１２１】
ステップＳ４０２で、使用要求の機能が入出力関連データベースＤＢ７にあると（ステップＳ４０２で、ＹＥＳのとき）、機能抽出機能部６３は、該当する統合機能Ｎｏ．を特定する（ステップＳ４０３）。
【０１２２】
次に、機能抽出機能部６３は、特定した統合機能に順序性があるかチェックし（ステップＳ４０４）、順序性があると（ステップＳ４０４で、ＹＥＳのとき）、使用要求の機能が、該統合機能の機能２に該当するかチェックする（ステップＳ４０５）。
【０１２３】
ステップＳ４０５で、使用要求の機能が機能２に該当すると（ステップＳ４０５で、ＹＥＳのとき）、機能抽出機能部６３は、その統合機能の機能１に該当する入出力の機能が入出力機能データベースＤＢ６にあるかチェックする（ステップＳ４０６）。
【０１２４】
ステップＳ４０５で、使用要求の機能が機能２に該当しないと（ステップＳ４０５で、ＮＯのとき）、機能抽出機能部６３は、統合機能を抽出することができないと判断して、電子機器管理処理を終了する。
【０１２５】
ステップＳ４０６で、上記機能１に該当する入出力の機能が入出力機能データベースＤＢ６にあると（ステップＳ４０６で、ＹＥＳのとき）、機能抽出機能部６３は、該機能１に該当する機能が一定時間内に実行されたかチェクする（ステップＳ４０７）。
【０１２６】
ステップＳ４０７で、機能１に該当する機能が一定時間内に実行されると（ステップＳ４０７で、ＹＥＳのとき）、機能抽出機能部６３は、図２４に示すように、その統合機能に該当する入出力が入出力機能データベースＤＢ６にあるかチェックする（ステップＳ４０８）。
【０１２７】
ステップＳ４０７で、機能１に該当する機能が一定時間内に実行されないと（ステップＳ４０７で、ＮＯのとき）、機能抽出機能部６３は、統合機能を抽出することができないと判断して、電子機器管理処理を終了する。
【０１２８】
ステップＳ４０８で、その統合機能に該当する入出力が入出力機能データベースＤＢ６にあると（ステップＳ４０８で、ＹＥＳのとき）、機能抽出機能部６３は、その統合機能Ｎｏ．に対応する統合機能を抽出して、電子機器管理処理を終了する(ステップＳ４０９）。
【０１２９】
ステップＳ４０４で、特定した統合機能に順序性があると（ステップＳ４０４で、ＮＯのとき）、機能抽出機能部６３は、その統合機能の他の機能に該当する入出力の機能が入出力機能データベースＤＢ６にあるかチェックする（ステップＳ４１０）。
【０１３０】
ステップＳ４１０で、その統合機能の他の機能に該当する入出力の機能が入出力機能データベースＤＢ６にあると（ステップＳ４１０で、ＹＥＳのとき）、機能抽出機能部６３は、該入力機能データベースＤＢ６に登録されている他の機能に該当する機能が一定時間内に実行されたかチェックする（ステップＳ４１１）。
【０１３１】
ステップＳ４１０で、その統合機能の他の機能に該当する入出力の機能が入出力機能データベースＤＢ６にないと（ステップＳ４１０で、ＮＯのとき）、機能抽出機能部６３は、統合機能を抽出することができないと判断して、電子機器管理処理を終了する。
【０１３２】
ステップＳ４１１で、他の機能に該当する機能が一定時間内に実行されると（ステップＳ４１１で、ＹＥＳのとき）、機能抽出機能部６３は、ステップＳ４０８へ移行して、上記同様に処理する（ステップＳ４０８、Ｓ４０９）。
【０１３３】
ステップＳ４１１で、他の機能に該当する機能が一定時間内に実行されないと（ステップＳ４１１で、ＮＯのとき）、機能抽出機能部６３は、統合機能を抽出することができないと判断して、電子機器管理処理を終了する。
【０１３４】
そして、機能抽出機能部６３は、入出力関連データベースＤＢ７において、連続使用された機能の入力と出力に基づいて、入出力機能データベースＤＢ６から統合機能を抽出するが、この統合機能の抽出ルールとしては、例えば、以下のような抽出ルールを用いる。なお、以下の抽出ルールは、図１８の入出力関連データベースＤＢ７を例にあげて説明しているが、抽出ルールは、これらに限るものではない。
【０１３５】
ルール１は、統合機能Ｎｏ．１の場合である。ルール１は、入力が同一で出力が異なる機能を連続使用する場合であって、１回の入力で異なる出力を同時に行う統合機能を抽出する。
【０１３６】
例えば、機能１：ファクス送信の場合、入力が、スキャナ、出力が、ファクスで、機能２：コピーの場合、入力が、スキャナ、出力が、プリンタであると、統合機能として、ファクス送信（同時コピー）を抽出する。この場合、ファクス送信（同時コピー）は、入力がスキャナで、出力がファクスとプリンタである。
【０１３７】
また、ルール２は、統合機能Ｎｏ．２場合である。ルール２は、機能１の出力と機能２の入力が同じ場合であって、機能１の入力で機能２の出力を実施することのできる統合機能を抽出する。
【０１３８】
例えば、機能１：スキャン蓄積の場合、入力が、スキャナ、出力が、蓄積データで、機能２：蓄積文書印刷の場合、入力が、蓄積データ、出力が、プリンタであると、統合機能として、コピーを抽出する。この場合、統合機能であるコピーは、入力がスキャナで、出力がプリンタである。
【０１３９】
ルール３は、統合機能Ｎｏ．３の場合である。ルール３は、機能１の出力と機能２の入力が同じ場合であって、機能１の入力で機能１の出力と機能２の出力を同時に行うことのできる統合機能を抽出する。ルール３は、統合機能が、機能１の出力を行う点でルール２と異なる。
【０１４０】
例えば、機能１：スキャン蓄積の場合、入力が、スキャナ、出力が、蓄積データで、機能２：蓄積文書印刷の場合、入力が、蓄積データ、出力が、プリンタであると、統合機能として、コピー（同時蓄積）を抽出する。この場合、統合機能であるコピー（同時蓄積）は、入力がスキャナで、出力がプリンタと蓄積データである。
【０１４１】
ルール４は、統合機能Ｎｏ．４の場合である。ルール４は、機能１の出力と機能２の入力に関連がある場合であって、機能１の入力で機能２の出力を実施することのできる統合機能を抽出する。
【０１４２】
例えば、機能１：プリンタ印刷の場合、入力が、ネットワーク（ＰＣ１）、出力が、プリンタで、機能２：ファクス送信の場合、入力が、スキャナ、出力が、ファクスであると、統合機能として、ＰＣＦＡＸを抽出する。この場合、統合機能であるＰＣＦＡＸは、入力がネットワーク（ＰＣ１）で、出力がファクスである。なお、この場合、プリンタ出力→スキャナ入力によって同一の紙媒体を使っている可能性がある。
【０１４３】
ルール５は、統合機能Ｎｏ．５の場合である。ルール５は、機能１の出力と機能２の入力に関連がある場合であって、機能１の入力で機能１の出力と機能２の出力を同時に実施することのできる統合機能を抽出する。ルール５は、統合機能が機能１の出力を行う点でルール４と異なる。
【０１４４】
例えば、機能１：プリンタ印刷の場合、入力が、ネットワーク（ＰＣ１）、出力が、プリンタで、機能２：ファクス送信の場合、入力が、スキャナ、出力が、ファクスであると、統合機能として、ＰＣＦＡＸ（同時プリント）を抽出する。この場合、統合機能であるＰＣＦＡＸ（同時プリント）は、入力がネットワーク（ＰＣ１）で、出力がファクスとプリンタである。この場合、プリンタ出力→スキャナ入力によって同一の紙媒体を使っている可能性がある。
【０１４５】
上記ルール２とルール３及びルール４とルール５は、連続使用した機能が同じであるが、抽出される統合機能が異なっている。この場合、提示機能部６４は、例えば、図２５に示すような複数の統合機能を提示する提示画面Ｇ４を表示して、ユーザに同時に複数の統合機能を提示する。ユーザは、提示された複数の統合機能から自身の使用目的に応じた統合機能を選択する。
【０１４６】
この場合、ユーザが行う特定機能の連続使用で複数の出力がある場合、ユーザが全ての出力を必要としているとは限らない。例えば、プリンタ印刷とファクス送信を連続利用するユーザの場合、以下のパターンが考えられる。
【０１４７】
パターン１：ファクスのみ行えばよいが、ＰＣＦＡＸ機能を知らずに一度印刷してからスキャンしてファクス送信している。
【０１４８】
パターン２：ファクスと印刷の両方の機能が必要であるため、２つの機能を利用している。
【０１４９】
そこで、複合装置Ｍ１は、ＰＣＦＡＸとＰＣＦＡＸ（同時プリント）を提示することによって、パターン１のファクスのみを行うユーザは、無駄な印刷を減らすことができ、パターン２のユーザは１度の操作で必要な出力を全て行わせることができる。
【０１５０】
このようにすると、統合機能を容易に管理しつつ、統合機能の利用性を適切かつ容易に、向上させることができる。
【０１５１】
また、複合装置Ｍ１は、ネットワークシステム１における統合機能の管理を行って、新たな統合機能の追加の提示を行ない、さらに、該追加した統合機能の提示をユーザに行ってもよい。
【０１５２】
この場合、複合装置Ｍ１は、記憶機能部６１に、例えば、図２６に示すような機器間毎統合機能使用回数データベースＤＢ８を記憶する。この機器間毎統合機能使用回数データベースＤＢ８は、統合機能Ｎｏ．毎に、各機器（コンピュータＰＣ１、携帯端末ＫＴ、複合装置Ｍ１、コピー装置Ｃ１、スキャナ装置Ｓ１、プリンタ装置Ｐ１、ファクス装置Ｆ１等）の使用回数が登録されている。すなわち、機器間毎統合機能使用回数データベースＤＢ８は、統合機能の各機能が、どの機器において何回使用されたかを示すデータベースとなっており、どの機器にどの統合機能が要望されているかを示すデータベースともなっている。
【０１５３】
したがって、複合装置Ｍ１は、機能抽出機能部６３が、記憶機能部６１の機器間毎統合機能使用回数データベースＤＢ８を解析することで、ネットワークシステム１のどの機器にどの機能が必要であるかを抽出して、提示機能部６４に提示させる。
【０１５４】
例えば、複合装置Ｍ１は、機器毎に購入する必要のある有料アプリが提供する新機能の場合、その機能が利用される機器を、機器間毎統合機能使用回数データベースＤＢ８を解析することで抽出して、機能追加の提示を行う。このようにすると、有料アプリ購入を、最低限の購入数に抑えることができる。この機能追加の提示としては、例えば、図２７に示すような機能導入を提示する提示画面Ｇ５を表示あるいは該提示画面Ｇ５と同様の内容の電子メールをネットワークシステム１の管理者へ送信することで行う。
【０１５５】
そして、複合装置Ｍ１は、ネットワークシステム１の機器に、新たな機能が追加されて、新たな統合機能の利用が可能になると、例えば、図２８に示すような追加機能による新たな統合機能の追加を案内する提示画面Ｇ６を、提示機能部６４が表示等によって提示する。
【０１５６】
複合装置Ｍ１は、ネットワークシステム１に新たな機能が追加されると、その機能が統合機能データベースＤＢ２に登録されていないときには、該機能を統合機能データベースＤＢ２に追加登録する。次に、複合装置Ｍ１は、追加機能に対する統合機能データベースＤＢ２の機能の組み合わせに対して、過去の機能使用履歴から、その組み合わせに対する各ユーザの機能使用回数を集計する。複合装置Ｍ１は、機能使用回数が多いユーザに対し、新しい機能が導入されたことを案内する上記提示画面Ｇ６をログイン時等に表示する。
【０１５７】
なお、ネットワークシステム１に未導入の統合機能に関する情報が、統合機能データベースＤＢ２に登録されていると、統合機能の追加を、容易かつ適切に行うことができる。
【０１５８】
このようにすると、利用回数の多い統合機能を、安価かつ効率的に追加することができるとともに、効率的に追加した統合機能の利用を図ることができる。その結果、ネットワークシステム１における統合機能の利用性をさらに向上させることができる。
【０１５９】
なお、上記提示画面に出力する提示内容に、用紙枚数の節約効果を含めているが、節約効果の内容としては、用紙枚数に限るものではなく、例えば、機器の使用時間（ユーザの操作時間）、電力、課金等であってもよい。また、節約効果については、ネットワークシステム１の管理者へ、同様の節約効果の内容を、メール等で通知してもよい。
【０１６０】
このように、本実施例のネットワークシステム１は、１以上の複合装置Ｍ１、コピー装置Ｃ１、スキャナ装置Ｓ１、プリンタ装置Ｐ１、ファクス装置Ｆ１、コンピュータＰＣ１及び携帯端末ＫＴ等の電子機器が通信可能に接続されているネットワークシステム１であって、機能使用履歴データベース（使用履歴）ＤＢ１を記憶する記憶機能部（履歴記憶手段）６１と、前記電子機器の有する機能の機能使用履歴データベースＤＢ１を記憶機能部６１へ記憶させる使用履歴記憶制御機能部（履歴記憶制御手段）６７と、いずれかの前記電子機器における前記機能に対する使用要求を受け付ける要求受付機能部（要求受付手段）６２と、前記電子機器の複数の前記機能を組み合わせた統合機能を記憶する記憶機能部（統合機能記憶手段）６１と、前記使用要求と前記記憶機能部６１の前記使用履歴に基づいて、前記記憶機能部６１の前記統合機能から適宜の統合機能を抽出する機能抽出機能部（機能抽出手段）６３と、前記機能抽出機能部６３の抽出した前記統合機能を提示する提示機能部（提示手段）６４と、を備えている。
【０１６１】
したがって、電子機器の機能の使用要求があると、該使用要求に応じた統合機能を過去の使用履歴を参照して抽出して、提示することができ、電子機器の複数の機能の組み合わせを容易に利用できるようにすることができる。
【０１６２】
すなわち、上記従来においては、例えば、コンピュータＰＣ、携帯端末ＫＴ等で作成された文書を複合装置M１等の画像形成装置からファクス送信する場合、コンピュータの文書を用紙に印刷出力する操作と、印刷出力された用紙を画像形成装置にセットして、ファクス送信宛先を入力して、送信ボタンを操作する操作との２段階の操作を必要とする。
【０１６３】
ところが、今日、コンピュータＰＣ、携帯端末ＫＴ等の電子機器と複合装置M１等の画像形成装置がネットワークＮＷで接続されている。そこで、コンピュータＰＣ等で作成された文書を、ファクス送信依頼とともにネットワークＮＷを介して画像形成装置に送信し、画像形成装置が、コンピュータＰＣで指定された宛先にファクス送信する機能を備えている場合がある。
【０１６４】
このようなコンピュータＰＣの機能と画像形成装置の機能を組み合わせて使用すると、コンピュータＰＣでの１回の操作で、従来、２回の操作を必要としていた処理機能を実行させることができる。ところが、このような機能を、ユーザが知らないと、有効に利用することができない。
【０１６５】
このような場合に、本実施例によれば、電子機器の機能の使用要求があると、該使用要求に応じた統合機能を過去の使用履歴を参照して抽出して、提示することができ、電子機器の複数の機能の組み合わせを容易に利用できるようにすることができる。
【０１６６】
また、本実施例のネットワークシステム１は、その複合装置Ｍ１が、少なくとも、単独及び他の電子機器と連携して複数の機能を実行する電子機器における電子機器管理方法であって、前記電子機器の有する機能の使用履歴を記憶機能部６１へ記憶する履歴記憶制御処理ステップと、いずれかの前記電子機器における前記機能に対する使用要求を受け付ける要求受付処理ステップと、前記使用要求と前記記憶機能部６１の前記使用履歴に基づいて、前記電子機器の複数の前記機能を組み合わせた統合機能を記憶する記憶機能部（統合機能記憶手段）６１から適宜の該統合機能を抽出する機能抽出処理ステップと、前記機能抽出処理ステップで抽出された前記統合機能を提示する提示処理ステップと、を有する電子機器管理方法を実行している。
【０１６７】
したがって、電子機器の機能の使用要求があると、該使用要求に応じた統合機能を過去の使用履歴を参照して抽出して、提示することができ、電子機器の複数の機能の組み合わせを容易に利用できるようにすることができる。
【０１６８】
さらに、本実施例のネットワークシステム１は、その複合装置Ｍ１が、少なくとも、単独及び他の電子機器と連携して複数の機能を実行する電子機器の搭載する電子機器管理プログラムであって、ＣＰＵ４１等の制御プロセッサに、前記電子機器の有する機能の使用履歴を記憶機能部６１へ記憶する履歴記憶制御処理と、いずれかの前記電子機器における前記機能に対する使用要求を受け付ける要求受付処理と、前記使用要求と前記記憶機能部６１の前記使用履歴に基づいて、前記電子機器の複数の前記機能を組み合わせた統合機能を記憶する記憶機能部（統合機能記憶手段）６１から適宜の該統合機能を抽出する機能抽出処理ステップと、前記機能抽出処理で抽出された前記統合機能を提示する提示処理と、を実行させる電子機器管理プログラムを搭載している。
【０１６９】
したがって、電子機器の機能の使用要求があると、該使用要求に応じた統合機能を過去の使用履歴を参照して抽出して、提示することができ、電子機器の複数の機能の組み合わせを容易に利用できるようにすることができる。
【０１７０】
また、本実施例のネットワークシステム１は、前記提示機能部６４の提示する前記統合機能から適宜の該統合機能を選択して実行を指示する指示機能部（指示手段）６５と、指定された前記統合機能を実行する機能実行機能部（機能実行手段）６６と、をさらに備えている。
【０１７１】
したがって、電子機器の機能の使用要求があると、該使用要求に応じた統合機能を過去の使用履歴を参照して抽出して、提示するとともに、ユーザの明示の指示に応じて該機能を実行することができる。その結果、電子機器の複数の機能の組み合わせを容易にかつユーザの意図に応じて利用することができる。
【０１７２】
さらに、本実施例のネットワークシステム１は、前記要求受付機能部６２が、ユーザ認証を行った上で、前記使用要求を受け付け、前記使用履歴記憶制御機能部６７が、前記電子機器の前記機能のユーザ毎の使用履歴を記憶機能部６１へ記憶させ、前記機能抽出機能部６３が、前記使用要求、該使用要求のユーザの前記使用履歴に基づいて、前記統合機能を抽出する。
【０１７３】
したがって、電子機器の機能の使用要求がユーザからあると、該使用要求に応じた統合機能を過去の該ユーザの使用履歴を参照して抽出して、提示することができる。その結果、電子機器の複数の機能の組み合わせをユーザ毎に容易かつ適切に利用できるようにすることができる。
【０１７４】
また、本実施例のネットワークシステム１は、前記使用履歴記憶制御機能部６７が、前記ユーザによる所定時間内における前記統合機能を構成する複数の前記機能の使用履歴を、該機能の使用順序とともに記憶機能部６１へ記憶させ、前記機能抽出機能部６３が、ユーザ認証を伴う前記使用要求、前記ユーザの前記使用履歴に基づいて、前記統合機能を抽出する。
【０１７５】
したがって、電子機器の機能の使用要求がユーザからあると、該使用要求に応じた統合機能を過去の該ユーザの使用履歴をより一層適切かつ効率的に参照して抽出して、提示することができる。その結果、電子機器の複数の機能の組み合わせをユーザ毎により一層容易かつより一層適切に利用できるようにすることができる。
【０１７６】
さらに、本実施例のネットワークシステム１は、前記統合機能を構成する複数の前記機能のうち、データの入力を伴う入力機能とデータの出力を伴う出力機能を対応させて入出力機能として記憶する記憶機能部（入出力機能記憶手段）６１を、さらに備え、前記機能抽出機能部６３が、前記使用要求と前記入出力機能に基づいて、前記統合機能を抽出する。
【０１７７】
したがって、統合機能を入力機能と出力機能によって管理することができ、より一層容易に統合機能の管理を行うことができ、電子機器の複数の機能の組み合わせをより一層容易かつ適切に利用できるようにすることができる。
【０１７８】
また、本実施例のネットワークシステム１は、前記機能抽出機能部６３が、前記入力機能の使用要求を行ったユーザと、前記出力機能の使用要求を行ったユーザとが、異なる場合においても、該使用要求と前記入出力機能に基づいて、前記統合機能を抽出する。
【０１７９】
したがって、従来、異なるユーザが連携して行っていた複数の機能を統合機能として抽出して提示することができ、電子機器の複数の機能の組み合わせをより一層容易かつ適切に利用できるようにすることができる。
【０１８０】
さらに、本実施例のネットワークシステム１は、少なくとも、単独及び他の電子機器と連携して複数の機能を実行する複合装置（電子機器）Ｍ！であって、使用履歴を記憶する記憶機能部（履歴記憶手段）６１と、前記電子機器の有する機能の使用履歴を前記記憶機能部６１へ記憶させる使用履歴記憶制御機能部（履歴記憶制御手段）６７と、いずれかの前記電子機器における前記機能に対する使用要求を受け付ける要求受付機能部（要求受付手段）６２と、前記電子機器の複数の前記機能を組み合わせた統合機能を記憶する記憶機能部（統合機能記憶手段）６１と、前記使用要求と前記記憶機能部６１の前記使用履歴に基づいて、前記統合機能を抽出する機能抽出機能部（機能抽出手段）６３と、前記機能抽出機能部６３の抽出した前記統合機能を提示する提示機能部（提示手段）６４と、を備えている。
【０１８１】
したがって、電子機器の機能の使用要求があると、該使用要求に応じた統合機能を過去の使用履歴を参照して抽出して、提示することができ、電子機器の複数の機能の組み合わせを容易に利用できるようにすることができる。
【０１８２】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１８３】
１  ネットワークシステム
ＮＷ  ネットワーク
Ｍ１  複合装置
Ｃ１  コピー装置
Ｓ１  スキャナ装置
Ｐ１  プリンタ装置
Ｆ１  ファクス装置
ＰＣ１  コンピュータ
ＫＴ  携帯端末
ＧＳ  子機画像処理装置
１１  コントローラ
１２  エンジン
１３  オペレーションパネル
２１  ＣＰＵ
２２  ＲＯＭ
２３  ＲＡＭ
２４  ネットワークＩ／Ｆ
２５  エンジンＩ／Ｆ
２６  パネルＩ／Ｆ
３１  ＣＰＵ
３２  ＲＯＭ
３３  ＲＡＭ
３４  ディスプレイ
３５  ネットワークＩ／Ｆ
３６  入力Ｉ／Ｆ
３７  バス
４１  ＣＰＵ
４２  操作パネル
４３  ＲＯＭ
４４  不揮発性ＲＡＭ
４５  ＲＡＭ
４６  エンジン制御部
４７  ネットワーク制御部
４８  ファクス制御部
５１  スキャナ部
５２  プロッタ部
ＤＢ１  機能使用履歴データベース
ＤＢ２、ＤＢ２ａ、ＤＢ２ｂ  統合機能データベース
ＤＢ３  機器保有機能データベース
ＤＢ４  ユーザ毎統合関連機能使用回数データベース
ＤＢ５  ユーザ間統合関連機能使用回数データベース
ＤＢ６、ＤＢ６ａ、ＤＢ６ｂ  入出力機能データベース
ＤＢ７  入出力関連データベース
ＤＢ８  機器間毎統合機能使用回数データベース
６１  記憶機能部
６２  要求受付機能部
６２ａ  ユーザ認証機能部
６３  機能抽出機能部
６４  提示機能部
６５  指示機能部
６６  機能実行機能部
６７  使用履歴記憶制御機能部
６８  機能実行確認機能部
６９  実行回数記憶制御機能部
Ｇ１〜Ｇ６  提示画面
【先行技術文献】
【特許文献】
【０１８４】
【特許文献１】特開２０１０−２６８３４５号公報
【図１】
2016111417.tif 000003
【図２】
2016111417.tif 000004
【図３】
2016111417.tif 000005
【図４】
2016111417.tif 000006
【図５】
2016111417.tif 000007
【図６】
2016111417.tif 000008
【図７】
2016111417.tif 000009
【図８】
2016111417.tif 000010
【図９】
2016111417.tif 000011
【図１０】
2016111417.tif 000012
【図１１】
2016111417.tif 000013
【図１２】
2016111417.tif 000014
【図１３】
2016111417.tif 000015
【図１４】
2016111417.tif 000016
【図１５】
2016111417.tif 000017
【図１６】
2016111417.tif 000018
【図１７】
2016111417.tif 000019
【図１８】
2016111417.tif 000020
【図１９】
2016111417.tif 000021
【図２０】
2016111417.tif 000022
【図２１】
2016111417.tif 000023
【図２２】
2016111417.tif 000024
【図２３】
2016111417.tif 000025
【図２４】
2016111417.tif 000026
【図２５】
2016111417.tif 000027
【図２６】
2016111417.tif 000028
【図２７】
2016111417.tif 000029
【図２８】
2016111417.tif 000030